(57)【要約】【課題】本発明は会議等で使用する時間を容易に認識して、業務上のコストを削減することができるとともに、投影した情報を時間や日付等の表示により確認して証明することができる情報投影装置を得るにある。【解決手段】画像や映像等の情報等を投影するプロジェクターや背面投影型プロジェクター等の情報投影装置において、前記画像や映像等の情報や時間や日付等を表示することができる日時表示手段とで情報投影装置を構成している。【選択図】  図１
2004294743.tif 000002
【特許請求の範囲】
【請求項１】
画像や映像等の情報等を投影するプロジェクターや背面投影型プロジェクター等の情報投影装置において、前記画像や映像等の情報や時間や日付等を表示することができる日時表示手段を備えることを特徴とする情報投影装置。
【請求項２】
画像や映像等の情報を投影するプロジェクターや背面投影型プロジェクター等の情報投影装置において、前記画像や映像等の情報や時間や日付等を表示することができる日時表示手段と、予めセットした時間迄のカウントダウンを表示するカウントダウン手段を備えることを特徴とする情報投影装置。
【請求項３】
前記カウントダウン手段には、プロジェクターや背面投影型プロジェクター等の情報投影装置に使用するランプの運転時間をカウントダウンすることができることを特徴とする特許請求の範囲第２項に記載の情報投影装置。
【請求項４】
前記情報投影装置スイッチがＯＮ状態の時に前記画像や映像等の情報や時刻や日付等を表示するように作動することを特徴とする特許請求の範囲第１、２、３項のいずれかに記載の情報投影装置。
【請求項５】
投影する画像や映像等の情報を所定の時間に変更することができる情報変更手段を備えることを特徴とする特許請求の範囲第１、２、３項のいずれかに記載の情報投影装置。
【発明の詳細な説明】
【０００１】
【発明の属する技術分野】
本発明は、プロジェクターや背面投影型プロジェクター等の情報投影装置に関する。
【０００２】
【従来の技術】
従来、プロジェクターや背面投影型プロジェクター等の情報投影装置は、会議やプレゼンテーション等で画像や映像等をスクリーンや液晶等に投影している。
【０００３】
【発明が解決しようとする課題】
従来のプロジェクターや背面投影型プロジェクター等の情報投影装置では、会議室やプレゼンテーション等で使用される部屋の使用時間や説明者の話す時間に合わせて使用されるので、使用者は個々に時間管理をしなければならず、生産性の低い状態で時間を消費しなければならないという欠点があるとともに、投影された情報は重要な資料として取り扱うものであっても、ファイルされても日付や時間の情報とは別々に管理されるので、信憑性の低い状態でしか管理することができないという欠点があった。
【０００４】
本発明は以上のような従来の欠点に鑑み、会議等で使用する時間を容易に認識して、業務上のコストを削減することができるとともに、投影した情報を時間や日付等の表示により確認して証明することができる情報投影装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は画像や映像等の情報等を投影するプロジェクターや背面投影型プロジェクター等の情報投影装置において、前記画像や映像等の情報や時間や日付等を表示することができる日時表示手段とで情報投影装置を構成している。
【０００７】
【発明の実施の形態】
以下、図面に示す実施の形態により、本発明を詳細に説明する。
【０００８】
図１ないし図４に示す本発明の第１の実施の形態において、１は本発明のプロジェクターや背面投影型プロジェクター等で液晶方式やＤＬＰ方式等を利用している情報投影装置で、この情報投影装置１は、従来と同様に、パソコン、ゲーム機、チューナー、ビデオカメラ、デジタルカメラ、ビデオプレーヤ、ＤＶＤプレーヤー、車載用のアプリケーション（フロントガラスへの投影）等に接続され、データを投影することができ、キーボード、スイッチ類、リモコン部、ＰＣカードスロット挿入手段、投影画像の上下左右のゆがみ補正手段、映像表示手段等を備え、投影される画像や映像等の情報２をスクリーンや液晶画面等の表示面３に投影する投影手段４に関連付けられて備えられた時刻５や日付６等を表示する日時表示手段７とで構成されている。
【０００９】
前記日時表示手段７は時計装置やタイマー装置等を備え、前記情報投影装置１のスイッチＶがＯＮ状態の時に前記画像や映像等の情報や時刻５や日付６等を表示するように作動する。表示される時刻５は、本実施の形態では、前記表示面３に投影された画像や映像等の情報２内に表示されるが、本発明はこれに限らず、情報２の範囲外で、傍観している者が見ることができる位置であれば、どの位置でもよい。
なお、時刻５の表示だけでなく、図３に示すように、日付６を個別に、あるいは一体的に表示されてもよい。
また、前記日時表示手段７では、時計装置やタイマー装置等を介して時刻５や日付６を表示するが、これに限らず、外部より入力されるデータに関連付けられた時刻５や日付６は、外部データとともに表示される処理をしてもよい。
【００１０】
上記構成の情報投影装置１は、商談、プレゼンテーション、ミーティング、研修、宣伝広告等で使用され、投影された画像や映像等の情報２とともに、現在の時刻５が同範囲内に表示されるので、使用者がどの程度時間を費やしているのか、容易に把握することできるので、生産性の高い状態で使用することができるとともに、投影された画像や映像等の情報２は、プリントすることが可能なので、学会の発表や顧客との商談等では、投影した情報と時刻５や日付６等の表示を一緒に管理することができるので、確実に証明することができる。
また、図４に示すように、時刻５や日付６の表示を時計のないビル等の外壁Ｗやロビーの壁等に投影してもよい。
【００１１】
【発明の異なる実施の形態】
次に、図５ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図５ないし図７に示す本発明の第２の実施の形態において、前記本発明の第１の実施の形態と主に異なる点は、日時表示手段としての時計装置７Ａに関連付けて備えられた、予めセットした時間迄のカウントダウン時間８を表示するカウントダウン手段９を用いた点で、このように構成された情報投影装置１Ａにしても本発明の第１の実施の形態と同様の作用効果を得ることができるとともに、会議の残り時間やプレゼンテーションの残り時間を効率よく表示することができる。なお、図７に示すように、セットされた時間になった時に、アラーム手段を介して鳴らすことができるようにしてもよい。
【００１３】
図８および図９に示す本発明の第３の実施の形態において、前記本発明の第２の実施の形態と主に異なる点は、情報投影装置に備えられている投影に必要なランプ１０の運転時間であるカウントダウン日時８Ａを表示するカウントダウン手段９Ａを用いた点で、このように構成された情報投影装置１Ｂにしても本発明の第２の実施の形態と同様の作用効果を得ることができる。
【００１４】
図１０ないし図１２に示す本発明の第４の実施の形態において、前記本発明の第２の実施の形態と主に異なる点は、投影する画像や映像等の情報２を所定の時間、あるいは任意に変更する情報変更手段１１を用いた点で、このように構成された情報投影装置１Ｃにしても本発明の第２の実施の形態と同様の作用効果を得ることができるとともに、図１１に示すように、投影する画像や映像等の情報２を設定された時間で変更することができ、図１２に示すように、投影される画像や映像等の情報の背景１２を変更することで、傍観する者への印象付けを強調したり、視覚を通じて時間の感覚を訴えることもできる。
【００１５】
図１３ないし図１６に示す本発明の第５の実施の形態において、前記本発明の第２の実施の形態と主に異なる点は、予めセットした時間迄のカウントダウン時間８をインジケーター１３を用いて表示するカウントダウン手段９Ｂを用いた点で、このように構成された情報投影装置１Ｄにしても本発明の第２の実施の形態と同様の作用効果を得ることができる。
なお、前記インジケーター１３と同様の時間の経過を表現することができる、例えば、図  および図  に示すような砂時計表示や円グラフ表示等で表示してもよい。
【００１６】
図１７ないし図１９に示す本発明の第６の実施の形態において、前記本発明の第２の実施の形態と主に異なる点は、予めセットした時間内において、所定時間が経過すると前記インジケーター１３を表示するカウントダウン手段９Ｃを用いた点で、このように構成された情報投影装置１Ｅにしても本発明の第５の実施の形態と同様の作用効果を得ることができる。
なお、図１９に示すように、所定時間が経過すると同時に、投影画像が点滅、背景の変更等の処理がされる前記情報変更手段１１を本実施の形態に用いてもよい。
【００１７】
図２０および図２１に示す本発明の第７の実施の形態において、前記本発明の第１の実施の形態と主に異なる点は、複数個の発光ダイオード１４や液晶パネル等で時刻５や日付６等を表示する日付表示手段７Ａを用いた点で、このように構成された情報投影装置１Ｆにしても本発明の第５の実施の形態と同様の作用効果を得ることができるとともに、時刻５や日付６等は投影される情報２上に表示される状態で投影されるので、該情報２には時間５や日付６等の情報がなくても、正確に表示することができる。
なお、前記日付表示手段７Ａの複数個の発光ダイオード１４や液晶パネル等は、時刻５や日付６等の他、氏名や文字情報等の諸情報を表示することができるので、該諸情報を前記情報２と同時に投影して表示することができる。
【００１８】
なお、前記本発明の異なる実施の形態では主に第１の実施の形態を基にして説明したが、本発明はこれに限らず、各実施の形態に使用された構成を組み合わせて使用しても同様な作用効果が得られる。
【００１９】
【発明の効果】
以上の説明から明らかなように、本発明にあっては次に列挙する効果が得られる。
【００２０】
（１）画像や映像等の情報等を投影するプロジェクターや背面投影型プロジェクター等の情報投影装置において、前記画像や映像等の情報や時間や日付等を表示することができる日時表示手段とからなるので、投影された画像とともに、時刻や日付等が表示される。
したがって、使用者がどの程度時間を費やしているのか、容易に把握することできる。
【００２１】
（２）前記（１）によって、使用者がどの程度時間を費やしているのか、容易に把握することできるので、生産性の高い状態で使用することができる
【００２２】
（３）前記（１）によって、構造が簡単であるので、容易に実施することができる。
【００２３】
（４）前記（１）によって、投影した情報と時間や日付等の表示を一緒に管理することができるので、学会の発表や顧客との商談等において、確実に証明することができる。
【００２４】
（５）請求項２〜４も前記（１）〜（４）と同様な作用効果が得られる。
【図面の簡単な説明】
【図１】本発明の第１の実施の形態の使用状態の説明図。
【図２】本発明の第１の実施の形態の概略図。
【図３】本発明の第１の実施の形態の参考図。
【図４】本発明の第１の実施の形態の参考図。
【図５】本発明の第２の実施の形態の使用状態の説明図。
【図６】本発明の第２の実施の形態の概略図。
【図７】本発明の第２の実施の形態の参考図。
【図８】本発明の第３の実施の形態の使用状態の説明図。
【図９】本発明の第３の実施の形態の概略図。
【図１０】本発明の第４の実施の形態の概略図。
【図１１】本発明の第４の実施の形態の使用状態の説明図。
【図１２】本発明の第４の実施の形態の使用状態の説明図。
【図１３】本発明の第５の実施の形態の使用状態の説明図。
【図１４】本発明の第５の実施の形態の概略図。
【図１５】本発明の第５の実施の形態の参考図。
【図１６】本発明の第５の実施の形態の参考図。
【図１７】本発明の第６の実施の形態の使用状態の説明図。
【図１８】本発明の第６の実施の形態の概略図。
【図１９】本発明の第６の実施の形態の参考図。
【図２０】本発明の第７の実施の形態の使用状態の説明図。
【図２１】本発明の第７の実施の形態の概略図。
【符号の説明】
１、１Ａ〜１Ｆ：情報投影装置、      ２：画像や映像等の情報、
３：表示面、                        ４：投影手段、
５：時刻、                          ６：日付、
７、７Ａ：日時表示手段、            ８：カウントダウン時間、
９、９Ａ〜９Ｃ：カウントダウン手段、１０：ランプ、
１１：情報変更手段、                １２：背景、
１３：インジケーター、              １４：複数個の発光ダイオード、
Ｖ：スイッチ、                      Ｗ：ビル等の外壁。
【図１】
2004294743.tif 000003
【図２】
2004294743.tif 000004
【図３】
2004294743.tif 000005
【図４】
2004294743.tif 000006
【図５】
2004294743.tif 000007
【図６】
2004294743.tif 000008
【図７】
2004294743.tif 000009
【図８】
2004294743.tif 000010
【図９】
2004294743.tif 000011
【図１０】
2004294743.tif 000012
【図１１】
2004294743.tif 000013
【図１２】
2004294743.tif 000014
【図１３】
2004294743.tif 000015
【図１４】
2004294743.tif 000016
【図１５】
2004294743.tif 000017
【図１６】
2004294743.tif 000018
【図１７】
2004294743.tif 000019
【図１８】
2004294743.tif 000020
【図１９】
2004294743.tif 000021
【図２０】
2004294743.tif 000022
【図２１】
2004294743.tif 000023